(57)【特許請求の範囲】
【請求項１】
洋風便器本体と、該洋風便器本体の後部に設けられ、ベースプレート上に固定された該洋風便器本体に種々の機能を付与可能な部品を本体カバーで内装した機能装置とを備え、該機能装置は少なくとも該洋風便器本体の鉢面後方を露出すべく上昇可能に設けられた洋風水洗式便器において、
前記機能装置の前記部品の少なくとも一つは該機能装置の上昇時に露出する部分を照射可能な照明器具であることを特徴とする洋風水洗式便器。
【請求項２】
照明器具は、機能装置の下降時に消灯し、該機能装置の上昇時に点灯するものであることを特徴とする請求項１記載の洋風水洗式便器。
【請求項３】
照明器具は機能装置の下降時にも点灯するものであることを特徴とする請求項１記載の洋風水洗式便器。
【請求項４】
照明器具は、機能装置の上昇時に便座が水平状態又は下降回動状態にあれば、点滅するものであることを特徴とする請求項１、２又は３記載の洋風水洗式便器。
【発明の詳細な説明】
【０００１】
【発明が属する技術分野】
本発明は洋風水洗式便器に関する。
【０００２】
【従来の技術】
従来、陶磁器製の洋風便器本体と、この洋風便器本体の後部に設けられた機能装置とを備えた洋風水洗式便器が知られている。
【０００３】
機能装置として公知の例えばシャワートイレは、洋風便器本体に取り付けられるベースプレートと、このベースプレート上に固定された局部洗浄機構を構成する各部品と、各部品を内装する本体カバーと、本体カバーに揺動可能に設けられた暖房便座と、本体カバーに揺動可能に設けられた便蓋とからなる。かかるシャワートイレは、各部品の協働作用により、暖房便座を介して着座した人の局部を洗浄可能であるという機能を洋風便器本体に付与することができる。
【０００４】
また、近年のシャワートイレは、少なくとも洋風便器本体の鉢面後方を露出すべく上昇可能に設けられている。かかるシャワートイレでは、上昇されることにより、少なくとも洋風便器本体の鉢面後方を露出し、これによりそこの汚れを水洗い等で容易に清掃できるようになっている。
【０００５】
【発明が解決しようとする課題】
しかし、上記のように上昇可能な機能装置を備えた洋風水洗式便器では、機能装置の上昇時、機能装置自身が洋風便器本体に影を落とし、鉢面後方の清掃性を阻害しやすい。
【０００６】
本発明は、上記従来の実情に鑑みてなされたものであって、上昇可能な機能装置を備えた洋風水洗式便器が高い清掃性を発揮できるようにすることを解決すべき課題としている。
【０００７】
【課題を解決するための手段】
本発明の洋風水洗式便器は、洋風便器本体と、該洋風便器本体の後部に設けられ、ベースプレート上に固定された該洋風便器本体に種々の機能を付与可能な部品を本体カバーで内装した機能装置とを備え、該機能装置は少なくとも該洋風便器本体の鉢面後方を露出すべく上昇可能に設けられた洋風水洗式便器において、
【０００８】
前記機能装置の前記部品の少なくとも一つは該機能装置の上昇時に露出する部分を照射可能な照明器具であることを特徴とする。
【０００９】
本発明の洋風水洗式便器では、機能装置の部品の一つである照明器具が機能装置の上昇時に露出する部分を照射するため、機能装置自身による影がなくなり、洋風便器本体の鉢面後方の清掃性が向上する。
【００１０】
したがって、本発明の上昇可能な機能装置を備えた洋風水洗式便器は、高い清掃性を発揮できる。
【００１１】
照明器具は、機能装置の下降時に消灯し、該機能装置の上昇時に点灯するものであることが好ましい。こうであれば、省電力により、ランニングコストの低廉化を実現できる。
【００１２】
他方、照明器具は機能装置の下降時にも点灯するものであることも好ましい。こうであれば、暗いトイレ室であっても、洋風便器本体と機能装置との間等から漏れる光により洋風水洗式便器回りを僅かには照らすことができる。このため、例えば真夜中の小用時等の便宜性及び美観を向上させることができる。
【００１３】
また、照明器具は、機能装置の上昇時に便座が水平状態又は下降回動状態にあれば、点滅するものであることが好ましい。こうであれば、これらの状態を使用者に認知させることができる。
【００１４】
【発明の実施の形態】
以下、本発明を具体化した実施形態を図面を参照しつつ説明する。
実施形態の洋風水洗式便器は、図１及び図２に示すように、陶磁器製の洋風便器本体１と、この洋風便器本体１の後部に設けられた機能装置としてのシャワートイレ２を備えている。
【００１５】
シャワートイレ２は、フロントベースプレート３ａと、このフロントベースプレート３ａ上に固定された局部洗浄機構を構成するノズル３ｂ等の部品と、ノズル３ｂ等の部品を内装する本体カバー３ｄと、本体カバー３ｄに揺動可能に設けられた暖房便座３ｅと、本体カバー３ｄに揺動可能に設けられた便蓋３ｆとを有している。
【００１６】
フロントベースプレート３ａには、図３に示すように、シャワートイレ２の裏面側に開く開口３ｅが形成されている。開口３ｅ内では、図４に示すように、略筒状の透明ケース３ｆがその下端を開口３ｅ内に位置させるように設けられている。透明ケース３ｆ内にはリード線３ｉが基板３ｈと接続された照明器具としてのＬＥＤ素子３ｇが収納され、基板３ｈはＬＥＤ素子３ｇを封止状態で収納すべく透明ケース３ｆにシリコンシーラにより固定されている。ＬＥＤ素子３ｇのリード線３ｉは図示しない電源及びリミットスイッチに接続されている。リミットスイッチは、シャワートイレ２の下降時に洋風便器本体１との接触によりＬＥＤ素子３ｇを消灯し、シャワートイレ２の上昇時に洋風便器本体１と離反してＬＥＤ素子３ｇを点灯するようになっている。
【００１７】
また、図１に示すように、このシャワートイレ２は、リアベースプレート４ａと、このリアベースプレート４ａ上に固定された局部洗浄機構の残部を構成する温水タンク４ｂ、便器洗浄機構を構成するバルブ等及びフロントベースプレート３ａをリアベースプレート４ａに対して昇降可能に設ける昇降機構のラックアンドピニオン等の部品とを有している。なお、リアベースプレート４ａの水平方向の全周囲には温水タンク４ｂ等を囲包する隠蔽部材５が立設されている。
【００１８】
かかる温水タンク４ｂ等をもつリアベースプレート４ａは、図示しない一対のボルト取付穴に図示しないボルトが挿通され、これらのボルトが洋風便器本体１に貫設された図示しない便座取付け穴に挿通されて図示しないナットが締結されることにより固定される。フロントベースプレート３ａは、ノズル３ｂ等、本体カバー３ｄ、暖房便座３ｅ及び便蓋３ｆとともに、昇降機構によりリアベースプレート４ａに対して垂直に昇降可能になっている。図１に示すように、フロントベースプレート３ａ等が下降している際、温水タンク４ｂ等は本体カバー３ｄにより内装されている。
【００１９】
かかるシャワートイレ２を備えた洋風水洗式便器では、シャワートイレ２の局部洗浄機構により、暖房便座３ｅを介して着座した人の局部を洗浄可能である。また、この洋風水洗式便器では、シャワートイレ２の便器洗浄機構により、洋風便器本体１を洗浄可能である。
【００２０】
また、この洋風水洗式便器では、図２に示すように、シャワートイレ２のフロントベースプレート３ａ等が昇降機構により上昇可能になっており、これにより洋風便器本体１の鉢面後方が露出するようになっている。このため、洋風便器本体１の鉢面後方の汚れを水洗い等で容易に清掃できる。この際、この洋風水洗式便器では、シャワートイレ２の部品の一つであるＬＥＤ素子３ｇがシャワートイレ２の上昇時に露出する部分を照射するため、シャワートイレ２自身による影がなくなり、洋風便器本体１の鉢面後方の清掃性が向上する。
【００２１】
したがって、この上昇可能なシャワートイレ２を備えた洋風水洗式便器は、高い清掃性を発揮できる。特に、この洋風水洗式便器では、シャワートイレ２の下降時にＬＥＤ素子３ｇが消灯し、シャワートイレ２の上昇時にＬＥＤ素子３ｇが点灯するため、省電力であり、ランニングコストの低廉化を実現できる。
【００２２】
なお、リミットスイッチを除き、シャワートイレ２の下降時にもＬＥＤ素子３ｇが点灯するようにすることもできる。こうであれば、暗いトイレ室であっても、洋風便器本体１とシャワートイレ２との間等から漏れる光により洋風水洗式便器回りを僅かには照らすことができるため、例えば真夜中の小用時等の便宜性及び美観を向上させることができる。
【００２３】
また、シャワートイレ２の上昇時に暖房便座３ｅが水平状態又は下降回動状態にある場合において、ＬＥＤ素子３ｇが点滅するようにすることもできる。こうであれば、これらの状態を使用者に認知させることができるため、使用者がこの状態で暖房便座３ｅに着座することを防止し、洋風水洗式便器の破損を防止できる。
【図面の簡単な説明】
【図１】実施形態の洋風水洗式便器に係り、シャワートイレ降下時の側面図である。
【図２】実施形態の洋風水洗式便器に係り、シャワートイレ上昇時の側面図である。
【図３】実施形態の洋風水洗式便器に係り、シャワートイレの一部省略斜視図である。
【図４】実施形態の洋風水洗式便器に係り、シャワートイレの要部拡大断面図である。
【符号の説明】
１…洋風便器本体
３ａ…フロントベースプレート
４ａ…リアベースプレート
３ｂ、４ｂ、３ｇ…部品（３ｂ…ノズル、４ｂ…温水タンク、３ｇ…照明器具（ＬＥＤ素子））
３ｄ…本体カバー
２…機能装置（シャワートイレ）
【図１】
0003659626.tif 000002
【図２】
0003659626.tif 000003
【図３】
0003659626.tif 000004
【図４】
0003659626.tif 000005